(57)【特許請求の範囲】
【請求項１】
制御回路用の第１コネクタ部及び検知回路用の第１コネクタ部を有するハウジング主体と、制御回路用の第１コネクタ部と嵌合する制御回路用の第２コネクタ部材及び検知回路用の第１コネクタ部と嵌合する検知回路用の第２コネクタ部材とからなり、前記制御回路用の第１コネクタ部及び前記検知回路用の第２コネクタ部材のそれぞれに、前記制御回路用の第１コネクタ部に前記制御回路用の第２コネクタ部材を嵌合していない状態で、前記検知回路用の第１コネクタ部に前記検知回路用の第２コネクタ部材を嵌合しようとするとき、互いに当接して前記検知回路用の第２コネクタ部材の嵌合を阻止する逆順序嵌合防止突起及び弾性可撓片を設け、前記制御回路用の第２コネクタ部材に、前記制御回路用の第１コネクタ部に完全に嵌合したときに、前記制御回路用の第１コネクタ部から見て前記制御回路用の第１コネクタ部の前記逆順序嵌合防止突起より嵌合方向に沿った前方に位置する傾斜面を有する正規順序嵌合用突起を設け、前記制御回路用の第２コネクタ部材には、前記制御回路用の第２コネクタ部材が前記制御回路用の第１コネクタ部と確実に嵌合していないときに、前記検知回路用の第２コネクタ部材の嵌合を妨げる方向に変位する弾性片が形成された電気コネクタにおいて、
前記弾性片（４８）は、前記制御回路用の第２コネクタ部材（４０）が前記制御回路用の第１コネクタ部（１０）と確実に嵌合していないときに、前記制御回路用の第１コネクタ部（１０）と係合して前記弾性片（４８）を変位させる突起（４８ａ）と、前記弾性片（４８）を挟んで前記突起（４８ａ）とは反対側に形成された係合突起（４９）とを有し、該係合突起（４９）の先端部には、前記制御回路用の第２コネクタ部材（４０）の嵌合方向に沿った後方に向けて傾く傾斜面（４９ａ）が形成されており、
前記検知回路用の第２コネクタ部材の前記弾性可撓片には、前記制御回路用の第２コネクタ部材が前記制御回路用の第１コネクタ部と確実に嵌合していないときに、前記正規順序嵌合用突起の前記傾斜面に当接して前記正規順序嵌合用突起を押し込む可撓片側傾斜面が形成され、
前記制御回路用の第２コネクタ部材が前記制御回路用の第１コネクタ部に完全に嵌合する前に前記検知回路用の第２コネクタ部材の前記弾性可撓片が変位を開始して前記検知回路用の第２コネクタ部材の嵌合が進行した場合に、前記検知回路用の第２コネクタ部材は、前記弾性片の前記係合突起に当接すると共に該係合突起を押し込み、
前記検知回路用の第２コネクタ部材が前記弾性片を押し込んで前記制御回路用の第２コネクタ部材が前記制御回路用の第１コネクタ部に完全に嵌合した後、前記弾性片は、変位した状態から元の状態に復帰しない場合に、前記係合突起の前記傾斜面が前記検知回路用の第２コネクタ部材と当接することにより元の状態に復帰することを特徴とする電気コネクタ。
【請求項２】
前記検知回路用の第２コネクタ部材の前記弾性可撓片は、前記制御回路用の第２コネクタ部材の前記正規順序嵌合用突起を押し込んで前記制御回路用の第２コネクタ部材が前記制御回路用の第１コネクタ部に完全に嵌合した後に変位を開始することを特徴とする請求項１記載の電気コネクタ。
【請求項３】
前記弾性片には、元の状態に復帰した際に、前記弾性片の撓み空間を埋める突起が設けられていることを特徴とする請求項１または２記載の電気コネクタ。
【発明の詳細な説明】
【０００１】
【発明の属する技術分野】
本発明は、制御回路用の第１コネクタ部及び検知回路用の第１コネクタ部とを有するハウジング主体と、制御回路用の第１コネクタ部と嵌合する制御回路用の第２コネクタ部材及び検知回路用の第１コネクタ部と嵌合する検知回路用の第２コネクタ部材とからなり、制御回路用の第１コネクタ部に制御回路用の第２コネクタが嵌合しない状態で検知回路用の第１コネクタ部に検知回路用の第２コネクタ部材を嵌合することができない電気コネクタに関する。
【０００２】
【従来の技術】
従来のこの種の電気コネクタとして、例えば、図１３乃至図１６に示すものが知られている（特開平１−２７４３６８号公報参照）。
【０００３】
この電気コネクタ１００は、制御回路用の第１コネクタ部材１１０及び検知回路用の第１コネクタ部材１２０を有するハウジング主体１３０と、制御回路用の第１コネクタ部材１１０と嵌合する制御回路用の第２コネクタ部材１４０及び検知回路用の第１コネクタ部材１２０と嵌合する検知回路用の第２コネクタ部材１５０とからなっている。
【０００４】
そして、制御回路用の第１コネクタ部材１１０及び検知回路用の第２コネクタ１５０のそれぞれには、図１４に示すように、制御回路用の第１コネクタ部材１１０に制御回路用の第２コネクタ部材１４０を嵌合していない状態で、検知回路用の第１コネクタ部材１２０に検知回路用の第２コネクタ部材１５０を嵌合しようとするとき、互いに当接する突起１１１及び弾性可動片１５１が設けられている。このため、検知回路用の第１コネクタ部材１２０に検知回路用の第２コネクタ部材１５０を嵌合できず、検知回路用の第２コネクタ部材１５０の単独の嵌合が阻止される。
【０００５】
一方、制御回路用の第２コネクタ部材１４０には、図１５に示すように、制御回路用の第１コネクタ部材１１０に制御回路用の第２コネクタ部材１４０を嵌合したときに、制御回路用の第１コネクタ部材１１０の突起１１１と整合する屈曲縁部１４１が形成されているので、制御回路用の第１コネクタ部材１１０に制御回路用の第２コネクタ部材１４０を嵌合した後に検知回路用の第２コネクタ部材１５０を検知回路用の第１コネクタ部材１２０に嵌合すると、検知回路用の第２コネクタ部材１５０の弾性可動片１５１は屈曲縁部１４１及び突起１１１を乗り越えて弾性復帰し、検知回路用の第２コネクタ部材１５０の嵌合がなされる。検知回路用の第２コネクタ部材１５０の嵌合がなされると、この第２コネクタ部材１５０を介して制御回路用の第２コネクタ部材１４０及び検知回路用の第２コネクタ部材１５０の双方の嵌合を検知することができる。
【０００６】
又、制御回路用の第１コネクタ部材１１０、制御回路用の第２コネクタ部材１４０、及び検知回路用の第２コネクタ部材１５０のそれぞれには、図１６に示すように、制御回路用の第１コネクタ部材１１０に制御回路用の第２コネクタ１４０を確実に嵌合していない状態、即ち半嵌合の状態で、検知回路用の第１コネクタ部材１２０に検知回路用の第２コネクタ部材１５０を嵌合しようとするとき、その嵌合を阻止するための突起１１２、弾性可動片１４２、及び突片１５２が形成されている。
【０００７】
制御回路用の第１コネクタ部材１１０に制御回路用の第２コネクタ１４０を半嵌合の状態では、図１６に示すように、制御回路用の第１コネクタ部材１１０の突起１１２が制御回路用の第２コネクタ部材１４０の弾性可動片１４２に当接してその弾性可動片１４２を時計周りに回動させると共に制御回路用の第１コネクタ部材１１０の突起１１１と制御回路用の第２コネクタ１４０の屈曲縁部１４１とが離れた状態で整合する。この状態で、検知回路用の第１コネクタ部材１２０に検知回路用の第２コネクタ部材１５０を嵌合しようとすると、検知回路用の第２コネクタ部材１５０の弾性可動片１５１が屈曲縁部１４１に乗り上げた状態で検知回路用の第２コネクタ部材１５０に形成された突片１５２が制御回路用の第２コネクタ部材１４０の弾性可動片１４２に形成された段差部１４３に当接し、検知回路用の第２コネクタ部材１５０の嵌合が阻止される。
【０００８】
【発明が解決しようとする課題】
しかしながら、この従来の電気コネクタにあっては、前述のように制御回路用の第１コネクタ部材１１０に制御回路用の第２コネクタ１４０を確実に嵌合していない状態、即ち半嵌合の状態で、検知回路用の第１コネクタ部材１２０に検知回路用の第２コネクタ部材１５０を嵌合しようとすると、その嵌合が阻止されるので、制御回路用の第２コネクタ１４０が半嵌合の場合に、制御回路用の第１コネクタ部材１１０に制御回路用の第２コネクタ１４０を完全に嵌合して接続すると共に検知回路用の第１コネクタ部材１２０に検知回路用の第２コネクタ部材１５０を接続するというその電気コネクタ本来の目的を達成することができない。
【０００９】
従って、本発明の目的は、制御回路用の第２コネクタ部材が半嵌合の場合であっても、制御回路用の第１コネクタ部材に制御回路用の第２コネクタを完全に嵌合して接続すると共に検知回路用の第１コネクタ部材に検知回路用の第２コネクタ部材を接続することが確実にできる電気コネクタを提供することにある。
【００１０】
【課題を解決するための手段】
本発明に係る電気コネクタは、制御回路用の第１コネクタ部及び検知回路用の第１コネクタ部を有するハウジング主体と、制御回路用の第１コネクタ部と嵌合する制御回路用の第２コネクタ部材及び検知回路用の第１コネクタ部と嵌合する検知回路用の第２コネクタ部材とからなり、前記制御回路用の第１コネクタ部及び前記検知回路用の第２コネクタ部材のそれぞれに、前記制御回路用の第１コネクタ部に前記制御回路用の第２コネクタ部材を嵌合していない状態で、前記検知回路用の第１コネクタ部に前記検知回路用の第２コネクタ部材を嵌合しようとするとき、互いに当接して前記検知回路用の第２コネクタ部材の嵌合を阻止する逆順序嵌合防止突起及び弾性可撓片を設け、前記制御回路用の第２コネクタ部材に、前記制御回路用の第１コネクタ部に完全に嵌合したときに、前記制御回路用の第１コネクタ部から見て前記制御回路用の第１コネクタ部の前記逆順序嵌合防止突起より嵌合方向に沿った前方に位置する傾斜面を有する正規順序嵌合用突起を設け、前記制御回路用の第２コネクタ部材には、前記制御回路用の第２コネクタ部材が前記制御回路用の第１コネクタ部と確実に嵌合していないときに、前記検知回路用の第２コネクタ部材の嵌合を妨げる方向に変位する弾性片が形成された電気コネクタにおいて、前記弾性片は、前記制御回路用の第２コネクタ部材が前記制御回路用の第１コネクタ部と確実に嵌合していないときに、前記制御回路用の第１コネクタ部と係合して前記弾性片を変位させる突起と、前記弾性片を挟んで前記突起とは反対側に形成された係合突起とを有し、該係合突起の先端部には、前記制御回路用の第２コネクタ部材の嵌合方向に沿った後方に向けて傾く傾斜面が形成されており、前記検知回路用の第２コネクタ部材の前記弾性可撓片には、前記制御回路用の第２コネクタ部材が前記制御回路用の第１コネクタ部と確実に嵌合していないときに、前記正規順序嵌合用突起の前記傾斜面に当接して前記正規順序嵌合用突起を押し込む可撓片側傾斜面が形成され、前記制御回路用の第２コネクタ部材が前記制御回路用の第１コネクタ部に完全に嵌合する前に前記検知回路用の第２コネクタ部材の前記弾性可撓片が変位を開始して前記検知回路用の第２コネクタ部材の嵌合が進行した場合に、前記検知回路用の第２コネクタ部材は、前記弾性片の前記係合突起に当接すると共に該係合突起を押し込み、前記検知回路用の第２コネクタ部材が前記弾性片を押し込んで前記制御回路用の第２コネクタ部材が前記制御回路用の第１コネクタ部に完全に嵌合した後、前記弾性片は、変位した状態から元の状態に復帰しない場合に、前記係合突起の前記傾斜面が前記検知回路用の第２コネクタ部材と当接することにより元の状態に復帰することを特徴としている。
【００１１】
又、前記検知回路用の第２コネクタ部材の前記弾性可撓片は、前記制御回路用の第２コネクタ部材の前記正規順序嵌合用突起を押し込んで前記制御回路用の第２コネクタ部材が前記制御回路用の第１コネクタ部に完全に嵌合した後に変位を開始することが好ましい。
【００１４】
前記弾性片には、元の状態に復帰した際に、前記弾性片の撓み空間を埋める突起が設けられていると一層効果的である。
【００１５】
【発明の実施の形態】
本発明の実施の形態を図面を参照して説明する。図１は、本発明の電気コネクタを構成するハウジング主体、制御回路用の第２コネクタ部材、及び検知回路用の第２コネクタ部材の分離状態を示す斜視図である。図２は、図１の電気コネクタに使用されるハウジング主体の斜視図である。図３は、図１の電気コネクタに使用される制御回路用の第２コネクタ部材を示し、(A)は正面側斜め上方から見た斜視図、(B)は正面側斜め下方から見た斜視図である。図４は、図１の電気コネクタに使用される検知回路用の第２コネクタ部材を示し、(A)は背面側斜め上方から見た斜視図、(B)は正面側斜め上方から見た斜視図である。
【００１６】
図１において、電気コネクタ１は、制御回路用の第１コネクタ部１０及び検知回路用の第１コネクタ部２０とを有するハウジング主体３０と、制御回路用の第１コネクタ部１０と嵌合する制御回路用の第２コネクタ部材４０及び検知回路用の第１コネクタ部２０と嵌合する検知回路用の第２コネクタ部材５０とからなっている。
【００１７】
制御回路用の第１コネクタ部１０及び検知回路用の第１コネクタ部２０は、図１及び図２に示すように、それぞれハウジング１１及び２１を有し、これらハウジング１１及び２１は絶縁性の樹脂を成形することによって一体的に略直方体形状に形成される。そして、ハウジング１１及び２１の間には、上壁３１から垂下する第１仕切壁３３と下壁３２から起立する第２仕切壁３４とが設けられている。又、ハウジング１１には複数の電気コンタクト１２が設けられ、ハウジング２１には複数の電気コンタクト２２が設けられている。
【００１８】
一方、制御回路用の第２コネクタ部材４０は、図１及び図３に示すように、制御回路用の第１コネクタ部１０のハウジング１１内に嵌合される絶縁性のハウジング４１と、ハウジング４１を制御回路用の第１コネクタ部１０のハウジング１１内に嵌合した際に、コンタクト１２に接触する複数の電気コンタクト（図示せず）とを具備している。第２コネクタ部材４０のハウジング４１は、複数の電気コンタクトを収容する複数のコンタクト収容室４２を有する略直方体形状のコンタクト収容部４３と、コンタクト収容部４３の上面に突出して形成された弾性ロック片部４４とを具備している。弾性ロック片部４４の上面には、制御回路用の第２コネクタ部材４０が制御回路用の第１コネクタ部１０に嵌合した際に、制御回路用の第１コネクタ部１０のハウジング１１に形成されたロック部（図示せず）に係合するロック突起４５が設けられている。そして、コンタクト収容部４３の上面であって弾性ロック片部４４の脇には、ハウジング１１に形成された案内突起１３が嵌入される案内溝４６が形成されている。
【００１９】
又、検知回路用の検知回路用の第２コネクタ部材５０は、図１及び図４に示すように、検知回路用の第１コネクタ部２０のハウジング２１内に嵌合される絶縁性のハウジング５１と、ハウジング５１を検知回路用の第１コネクタ部２０のハウジング２１内に嵌合した際に、コンタクト２２に接触する複数の電気コンタクト（図示せず）とを具備している。第２コネクタ部材５０のハウジング５１は、複数の電気コンタクトを収容する複数のコンタクト収容室５２を有する略直方体形状のコンタクト収容部５３と、コンタクト収容部５３の上面に突出して形成された弾性ロック片部５４とを具備している。弾性ロック片部５４の上面には、検知回路用の第２コネクタ部材５０が検知回路用の第１コネクタ部２０に嵌合した際に、検知回路用の第１コネクタ部２０のハウジング２１に形成されたロック部（図示せず）に係合するロック突起５５が設けられている。そして、コンタクト収容部５３の上面であって弾性ロック片部５４の両側には、ハウジング２１に形成された１対の案内突起２３が嵌入される１対の案内溝５６が形成されている。
【００２０】
図５は、制御回路用の第１コネクタ部に制御回路用の第１コネクタ部材を嵌合しない状態で、検知回路用の第１コネクタ部に検知回路用の第２コネクタ部材を嵌合しようとするときの断面図である。図６は、制御回路用の第１コネクタ部に制御回路用の第１コネクタ部材を嵌合完了した後に検知回路用の第１コネクタ部に検知回路用の第２コネクタ部材を嵌合しようとするときの断面図である。図７は、制御回路用の第２コネクタ部材及び検知回路用の第２コネクタ部材の双方の嵌合が完了した状態の断面図である。
【００２１】
制御回路用の第１コネクタ部１０と検知回路用の第１コネクタ部２０との間に設けられた第２仕切壁３４の検知回路用第１コネクタ部２０側には、図２に示すように、逆順序嵌合防止突起１４が設けられ、検知回路用第２コネクタ部材５０のコンタクト収容部５３の一側壁には、図１及び図４に示すように、突起部５７を有する弾性可撓片５８が設けられている。これら逆順序嵌合防止突起１４及び弾性可撓片５８の突起部５７は、図５に示すように、制御回路用の第１コネクタ部１０に制御回路用の第２コネクタ部材４０を嵌合していない状態で、検知回路用の第１コネクタ部２０に検知回路用の第２コネクタ部材５０を嵌合しようとするとき、互いに当接して検知回路用の第２コネクタ部材５０の嵌合を阻止する。弾性可撓片５８に設けられた突起部５７は、図４(A)に示すように、上下に設けられた２つの可撓片側傾斜面５７a及び５７bを有し、上側の可撓片傾斜面５７aは根元から先端に向けて第２コネクタ部材５０の後方(図６における下方)にやや向かうように傾斜し、下側の可撓片傾斜面５７bは根元から先端に向けて第２コネクタ部材５０の前方に向かうように、即ち逆テーパとなって傾斜する。逆順序嵌合防止突起１４と当接するのは、下側の可撓片傾斜面５７bであり、下側の可撓片傾斜面５７bは前述のように逆テーパとなって傾斜するので、検知回路用の第２コネクタ部材５０の嵌合は確実に阻止される。
【００２２】
制御回路用第２コネクタ部材４０のコンタクト収容部４３の一側壁には、図３及び図６に示すように、制御回路用の第１コネクタ部１０に完全に嵌合したときに、制御回路用の第１コネクタ部１０の逆順序嵌合防止突起１４より前に位置する傾斜面４７aを有する正規順序嵌合用突起４７が設けられている。図６に示すように、制御回路用の第２コネクタ部材４０の嵌合が完了した後に検知回路用の第２コネクタ部材５０を嵌合するときには、検知回路用第２コネクタ部材５０の弾性可撓片５８に形成された突起部５７の上側可撓片側傾斜面５７aは、制御回路用の第２コネクタ部材４０の正規順序嵌合用突起４７の傾斜面４７aに当接すると共に正規順序嵌合用突起４７を乗り越えるように変位し、更なる押し込みにより図７に示すように元の状態に復帰して検知回路用の第２コネクタ部材５０の完全嵌合がなされる。検知回路用の第２コネクタ部材５０の完全嵌合がなされると、この検知回路用の第２コネクタ部材５０を介して制御回路用の第２コネクタ部材４０及び検知回路用の第２コネクタ部材５０の双方の嵌合を検知することができる。
【００２３】
図８は、制御回路用の第１コネクタ部に制御回路用の第２コネクタ部材が確実に嵌合していない状態で検知回路用の第１コネクタ部に検知回路用の第２コネクタ部材を嵌合しようとするときの断面図である。
【００２４】
図８に示すように、制御回路用の第１コネクタ部１０に制御回路用の第１コネクタ部材４０が確実に嵌合していない状態、即ち半嵌合の状態で検知回路用の第１コネクタ部２０に検知回路用の第２コネクタ部材５０を嵌合しようとするときには、検知回路用第２コネクタ部材５０の弾性可撓片５８に形成された突起部５７の上側可撓片側傾斜面５７aは、制御回路用の第２コネクタ部材４０の正規順序嵌合用突起４７の傾斜面４７aに当接すると共に押し込み、制御回路用の第１コネクタ部材４０の完全な嵌合がなされる。従って、制御回路用の第２コネクタ部材４０が半嵌合の場合であっても、制御回路用の第１コネクタ部４０に制御回路用の第２コネクタ部材４０を完全に嵌合して接続することができる。そして、検知回路用の第２コネクタ部材５０の弾性可撓片５８は、制御回路用の第２コネクタ部材４０の正規順序嵌合用突起４７を押し込んで制御回路用の第２コネクタ部材４０が制御回路用の第１コネクタ部１０に完全に嵌合した後に変位を開始し、図７と同様に、検知回路用の第２コネクタ部材５０の完全嵌合が達成される。このため、検知回路用の第１コネクタ部２０に検知回路用の第２コネクタ部材５０を接続することが確実にできる。弾性可撓片５８が変位を開始するのは、検知回路用の第２コネクタ部材５０に設けられた電気コンタクトが第１コネクタ部２０に設けられた電気コンタクト２２に接触する前である。
【００２５】
次に、図９は、制御回路用の第２コネクタ部材が制御回路用の第１コネクタ部に完全に嵌合する前に検知回路用の第２コネクタ部材の弾性可撓片が変位を開始して検知回路用の第２コネクタ部材の嵌合が進行した場合の弾性可撓片の周囲の断面図である。図１０は、制御回路用の第２コネクタ部材が制御回路用の第１コネクタ部に完全に嵌合する前に検知回路用の第２コネクタ部材の弾性可撓片が変位を開始して検知回路用の第２コネクタ部材の嵌合が進行した場合の弾性片の周囲の断面図である。
【００２６】
検知回路用の第２コネクタ部材５０の弾性可撓片５８が制御回路用の第２コネクタ部材４０の正規順序嵌合用突起４７を押し込んでも、制御回路用の第２コネクタ部材４０が制御回路用の第１コネクタ部１０に対してかみ込んだりして、制御回路用の第２コネクタ部材４０が制御回路用の第１コネクタ部１０に対して嵌合が進まずに、制御回路用の第２コネクタ部材４０が制御回路用の第１コネクタ部１０に完全に嵌合する前に検知回路用の第２コネクタ部材５０の弾性可撓片５８が変位を開始して検知回路用の第２コネクタ部材５０の嵌合が進行する場合がある。制御回路用の第２コネクタ部材４０には、図３(B)及び図１０に示すように、制御回路用の第２コネクタ部材４０が制御回路用の第１コネクタ部１０と確実に嵌合していないときに、検知回路用の第２コネクタ部材５０の嵌合を妨げる方向に変位する、係合突起４９を有する弾性片４８が形成されている。弾性片４８の係合突起４９と反対側には、制御回路用の第１コネクタ部１０のハウジング１１に接して係合突起４９を突出させる突起４８aが形成されている。制御回路用の第２コネクタ部材４０が制御回路用の第１コネクタ部１０に完全に嵌合する前に検知回路用の第２コネクタ部材５０の弾性可撓片５８が変位を開始して検知回路用の第２コネクタ部材５０の嵌合が進行した場合には、検知回路用の第２コネクタ部材５０は、弾性片４８に形成された係合突起４９に当接すると共に弾性片４８を押し込むようになっている。これにより、制御回路用の第２コネクタ部材４０の完全嵌合がなされる。このため、制御回路用の第２コネクタ部材４０の嵌合途中で検知回路用の第２コネクタ部材５０のみの嵌合が進行しても、検知回路用の第２コネクタ部材５０のみの単独嵌合はなされない。
【００２７】
図１１は、制御回路用の第２コネクタ部材４０が制御回路用の第１コネクタ部１０に完全に嵌合すると共に、検知回路用の第２コネクタ５０が嵌合途中の弾性片の周囲の断面図である。図１２は、制御回路用の第２コネクタ部材４０が制御回路用の第１コネクタ部１０に完全に嵌合すると共に、検知回路用の第２コネクタ５０が完全に嵌合した際の弾性片の周囲の断面図である。
【００２８】
図１１に示すように、制御回路用の第２コネクタ部材４０が制御回路用の第１コネクタ部１０に完全に嵌合した場合には、弾性片４８の突起４８aのハウジング１１に対する接触が解除されて、原則として弾性片４８は元の状態に復帰するので、検知回路用の第２コネクタ部材５０を簡単に嵌合することができる。しかし、図９に示すように、制御回路用の第２コネクタ部材４０が制御回路用の第１コネクタ部１０に対してかみ込んだりして、制御回路用の第２コネクタ部材４０が制御回路用の第１コネクタ部１０に対して嵌合が進まずに制御回路用の第２コネクタ部材４０が制御回路用の第１コネクタ部１０に完全に嵌合する前に検知回路用の第２コネクタ部材５０の弾性可撓片５８が変位を開始して検知回路用の第２コネクタ部材５０の嵌合が進行する場合には、弾性片４８が弾性を失って元の状態に戻らない場合がある。この場合であっても、弾性片４８は、検知回路用の第２コネクタ部材５０が弾性片４８を押し込んで制御回路用の第２コネクタ部材４０が制御回路用の第１コネクタ部１０に完全に嵌合した後には、検知回路用の第２コネクタ部材５０の嵌合進行に伴って検知回路用の第２コネクタ部材５０と当接することにより元の状態に復帰する。このため、検知回路用の第２コネクタ部材５０の嵌合は確実になされる。弾性片４８の復帰を容易にするために、弾性片４８に形成された係合突起４９の先端前部には、後方に向けて傾く傾斜面４９aが形成されている。そして、弾性片４８に設けられた突起４８aは、弾性片４８が元の状態に復帰した際に、弾性片４８の撓み空間４８cを埋める。このため、制御回路用の第２コネクタ部材４０が嵌合した際の固定力が強固なものとなる。
【００２９】
【発明の効果】
請求項１に係る電気コネクタによれば、制御回路用の第２コネクタ部材に形成された弾性片は、制御回路用の第２コネクタ部材が制御回路用の第１コネクタ部と確実に嵌合していないときに、制御回路用の第１コネクタ部と係合して弾性片を変位させる突起と、弾性片を挟んで突起とは反対側に形成された係合突起とを有し、係合突起の先端部には、制御回路用の第２コネクタ部材の嵌合方向に沿った後方に向けて傾く傾斜面が形成されており、検知回路用の第２コネクタ部材の弾性可撓片には、制御回路用の第２コネクタ部材が制御回路用の第１コネクタ部と確実に嵌合していないときに、正規順序嵌合用突起の傾斜面に当接して正規順序嵌合用突起を押し込む可撓片側傾斜面が形成され、制御回路用の第２コネクタ部材が制御回路用の第１コネクタ部に完全に嵌合する前に検知回路用の第２コネクタ部材の弾性可撓片が変位を開始して検知回路用の第２コネクタ部材の嵌合が進行した場合に、検知回路用の第２コネクタ部材は、弾性片の係合突起に当接すると共に係合突起を押し込み、検知回路用の第２コネクタ部材が弾性片を押し込んで制御回路用の第２コネクタ部材が制御回路用の第１コネクタ部に完全に嵌合した後、弾性片は、変位した状態から元の状態に復帰しない場合に、係合突起の傾斜面が検知回路用の第２コネクタ部材と当接することにより元の状態に復帰するので、制御回路用の第２コネクタ部材が半嵌合の場合であっても、制御回路用の第１コネクタ部に制御回路用の第２コネクタ部材を完全に嵌合して接続することができる。また、制御回路用の第２コネクタ部材の嵌合途中で検知回路用の第２コネクタ部材のみで嵌合が進行しても、検知回路用の第２コネクタ部材のみの単独嵌合はなされない。また、弾性片が弾性を失って元の状態に戻らない場合であっても、検知回路用の第２コネクタ部材の嵌合は確実になされる。
【００３０】
請求項２に係る電気コネクタによれば、検知回路用の第２コネクタ部材の弾性可撓片は、制御回路用の第２コネクタ部材の正規順序嵌合用突起を押し込んで制御回路用の第２コネクタ部材が制御回路用の第１コネクタ部に完全に嵌合した後に変位を開始するので、検知回路用の第２コネクタ部材の完全嵌合が達成される。このため、検知回路用の第１コネクタ部に検知回路用の第２コネクタ部材を接続することが確実にできる。
【００３３】
請求項３に係る電気コネクタによれば、弾性片には、元の状態に復帰した際に、前記弾性片の撓み空間を埋める突起が設けられているので、制御回路用の第２コネクタ部材が嵌合した際の固定力が強固なものとなる。
【図面の簡単な説明】
【図１】本発明の電気コネクタを構成するハウジング主体、制御回路用の第２コネクタ部材、及び検知回路用の第２コネクタ部材の分離状態を示す斜視図である。
【図２】図１の電気コネクタに使用されるハウジング主体の斜視図である。
【図３】図１の電気コネクタに使用される制御回路用の第２コネクタ部材を示し、(A)は正面側斜め上方から見た斜視図、(B)は正面側斜め下方から見た斜視図である。
【図４】図１の電気コネクタに使用される検知回路用の第２コネクタ部材を示し、(A)は背面側斜め上方から見た斜視図、(B)は正面側斜め上方から見た斜視図である。
【図５】制御回路用の第１コネクタ部に制御回路用の第１コネクタ部材を嵌合しない状態で、検知回路用の第１コネクタ部に検知回路用の第２コネクタ部材を嵌合しようとするときの断面図である。
【図６】制御回路用の第１コネクタ部に制御回路用の第１コネクタ部材を嵌合完了した後に検知回路用の第１コネクタ部に検知回路用の第２コネクタ部材を嵌合しようとするときの断面図である。
【図７】制御回路用の第２コネクタ部材及び検知回路用の第２コネクタ部材の双方の嵌合が完了した状態の断面図である。
【図８】制御回路用の第１コネクタ部に制御回路用の第２コネクタ部材が確実に嵌合していない状態で検知回路用の第１コネクタ部に検知回路用の第２コネクタ部材を嵌合しようとするときの断面図である。
【図９】制御回路用の第２コネクタ部材が制御回路用の第１コネクタ部に完全に嵌合する前に検知回路用の第２コネクタ部材の弾性可撓片が変位を開始して検知回路用の第２コネクタ部材の嵌合が進行した場合の弾性可撓片の周囲の断面図である。
【図１０】制御回路用の第２コネクタ部材が制御回路用の第１コネクタ部に完全に嵌合する前に検知回路用の第２コネクタ部材の弾性可撓片が変位を開始して検知回路用の第２コネクタ部材の嵌合が進行した場合の弾性片の周囲の断面図である。
【図１１】制御回路用の第２コネクタ部材が制御回路用の第１コネクタ部に完全に嵌合すると共に、検知回路用の第２コネクタが嵌合途中の弾性片の周囲の断面図である。
【図１２】制御回路用の第２コネクタ部材が制御回路用の第１コネクタ部に完全に嵌合すると共に、検知回路用の第２コネクタが完全に嵌合した際の弾性片の周囲の断面図である。
【図１３】従来例の電気コネクタの分離状態を示す斜視図である。
【図１４】図１３の電気コネクタを構成する制御回路用の第１コネクタ部材に制御回路用の第１コネクタ部材を嵌合しない状態で、検知回路用の第１コネクタ部材に検知回路用の第２コネクタ部材を嵌合しようとするときの要部断面図である。
【図１５】図１３の電気コネクタを構成する制御回路用の第２コネクタ部材及び検知回路用の第２コネクタ部材の双方の嵌合が完了した状態の要部断面図である。
【図１６】図１３の電気コネクタを構成する制御回路用の第１コネクタ部材に制御回路用の第２コネクタ部材が確実に嵌合していない状態で検知回路用の第１コネクタ部材に検知回路用の第２コネクタ部材を嵌合しようとするときの概略平面図である。
【符号の説明】
１      電気コネクタ
１０    制御回路用の第１コネクタ部
１４    逆順序嵌合防止突起
２０    検知回路用の第１コネクタ部
３０    ハウジング主体
４０    制御回路用の第２コネクタ部材
４７    正規順序嵌合用突起
４７ａ  傾斜面
４８    弾性片
４８ａ  突起
５０    検知回路用の第２コネクタ部材
５７ａ  可撓片側傾斜面
５８    弾性可撓片
【図１】
0003801374.tif 000002
【図２】
0003801374.tif 000003
【図３】
0003801374.tif 000004
【図４】
0003801374.tif 000005
【図５】
0003801374.tif 000006
【図６】
0003801374.tif 000007
【図７】
0003801374.tif 000008
【図８】
0003801374.tif 000009
【図９】
0003801374.tif 000010
【図１０】
0003801374.tif 000011
【図１１】
0003801374.tif 000012
【図１２】
0003801374.tif 000013
【図１３】
0003801374.tif 000014
【図１４】
0003801374.tif 000015
【図１５】
0003801374.tif 000016
【図１６】
0003801374.tif 000017